(57)【要約】【課題】測定対象者から疲労や体調を監視するための十分な量のバイタル情報を取得することを可能にする。【解決手段】遠隔制御装置１０１は、複数の対象者１１１、１１２にそれぞれ取り付けられたセンサで取得された１種類以上の検出値を、それぞれの対象者に取り付けられた無線通信装置１０２から受信する。遠隔制御装置１０１は、受信した１種類以上の検出値のうちの少なくとも１種類の検出値が特定の範囲を外れる場合に、対応する無線通信装置１０２に対して、１種類以上の検出値の送信間隔を狭めるか、又は、送信する対象の検出値の種類を増やすか、又は、未送信の過去の検出値を送信させる指示信号を送信する。【選択図】図１
2016092739.tif 000002
【特許請求の範囲】
【請求項１】
複数の対象者にそれぞれ取り付けられたセンサで取得された１種類以上の検出値を、それぞれの対象者に取り付けられた無線通信装置から受信する通信部と、
前記通信部により受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を前記通信部に送信させる制御部と、
を有することを特徴とする遠隔制御装置。
【請求項２】
前記特定の範囲は、前記複数の対象者のそれぞれに取り付けられた無線通信装置から受信した前記１種類以上の複数種類の検出値に基づいて決定される、ことを特徴とする請求項１に記載の遠隔制御装置。
【請求項３】
前記指示信号は、前記対応する無線通信装置に対して、マイクで検出した音声信号を前記遠隔制御装置に送信させる指示を含むことを特徴とする請求項１に記載の遠隔制御装置。
【請求項４】
前記制御部は、
受信した前記１種類以上の検出値が前記特定の範囲を外れていない対象者の無線通信装置との通信帯域を減少させる制御信号を前記通信部に送信させることを特徴とする請求項１に記載の遠隔制御装置。
【請求項５】
前記特定の範囲は、前記複数の対象者の検出値の平均値、または、前記複数の対象者のそれぞれの対象者の平常時の検出値に基づいて設定されることを特徴とする請求項１に記載の遠隔制御装置。
【請求項６】
複数の対象者にそれぞれ取り付けられたセンサで取得した１種類以上の検出値を送信する制御部を有する、それぞれの対象者に取り付けられた無線通信装置と、
前記無線通信装置から前記１種類以上の検出値を受信する通信部と、受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を前記通信部に送信させる制御部とを有する遠隔制御装置と、
を有することを特徴とする遠隔制御システム。
【請求項７】
複数の対象者にそれぞれ取り付けられたセンサで取得された１種類以上の検出値を、それぞれの対象者に取り付けられた無線通信装置から受信し、
受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を送信する、
処理をコンピュータが実行することを特徴とする遠隔制御方法。
【請求項８】
複数の対象者にそれぞれ取り付けられたセンサで取得された１種類以上の検出値を、それぞれの対象者に取り付けられた無線通信装置から受信し、
受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を送信する、
処理をコンピュータに実行させることを特徴とする遠隔制御プログラム。
【発明の詳細な説明】
【技術分野】
【０００１】
本発明は、遠隔制御装置、遠隔制御システム、遠隔制御方法および遠隔制御プログラムに関する。
【背景技術】
【０００２】
従来、自衛隊や警察、消防等の訓練では、参加者に肉体的な負荷がかかるため、安全管理が重要となる。このため、ＧＰＳ（Ｇｌｏｂａｌ  Ｐｏｓｉｔｉｏｎｉｎｇ  Ｓｙｓｔｅｍ）による参加者の位置情報や映像などを収集して、統裁所で訓練の統裁官が状況を把握している。
【０００３】
先行技術としては、例えば、ユーザの健康状態に関係する信号を出力する生体センサを備え、ユーザの健康状態に異常が検出されるとき、通信手段を起動して、異常を携帯電話などに通信する技術がある。また、患者の体に備えられるセンサからの情報を伝送中に、患者からの信号の動作特性を変更できるようにする技術がある。
【先行技術文献】
【特許文献】
【０００４】
【特許文献１】特開２００５−２５３６０９号公報
【特許文献２】特開２００３−６１９２３号公報
【発明の概要】
【発明が解決しようとする課題】
【０００５】
しかしながら、従来技術では、測定対象者から疲労や体調を監視するための十分な量のバイタル情報を取得することが困難な場合がある。例えば、訓練参加者と統裁所との間の通信帯域が限られている場合である。訓練参加者の多い大規模な訓練では、訓練参加者から十分な量のバイタル情報を送信できず、監視側装置は訓練参加者の疲労や体調を監視するための十分な量のバイタル情報を取得することができない。
【０００６】
１つの側面では、本発明は、測定対象者から疲労や体調を監視するための十分な量のバイタル情報を取得することを可能にする遠隔制御装置、遠隔制御システム、遠隔制御方法および遠隔制御プログラムを提供することを目的とする。
【課題を解決するための手段】
【０００７】
１つの態様では、複数の対象者にそれぞれ取り付けられたセンサで取得された１種類以上の検出値を、それぞれの対象者に取り付けられた無線通信装置から受信し、受信した１種類以上の検出値のうちの少なくとも１種類の検出値が特定の範囲を外れる場合に、対応する無線通信装置に対して、１種類以上の検出値の送信間隔を狭めるか、又は、送信する対象の検出値の種類を増やすか、又は、未送信の過去の検出値を送信させる指示信号を送信させる、遠隔制御装置、遠隔制御システム、遠隔制御方法および遠隔制御プログラムが提案される。
【発明の効果】
【０００８】
１つの側面では、測定対象者から疲労や体調を監視するための十分な量のバイタル情報を取得することを可能にするという効果を奏する。
【図面の簡単な説明】
【０００９】
【図１】図１は、遠隔制御システム１００の一実施例を示す説明図である。
【図２】図２は、遠隔制御システム１００を適用した訓練システム２００の一例を示す説明図である。
【図３】図３は、遠隔制御装置１０１のハードウェアの一例を示す説明図である。
【図４】図４は、表示デバイス２２４のハードウェアの一例を示す説明図である。
【図５】図５は、バイタルセンサ２２３のハードウェアの一例を示す説明図である。
【図６】図６は、遠隔制御装置１０１の管理優先度別の制御情報ＤＢ６００の一例を示す説明図である。
【図７】図７は、電文７０１の一例を示す説明図である。
【図８】図８は、電文８０１の一例を示す説明図である。
【図９】図９は、遠隔制御装置１０１の機能的構成例を示すブロック図である。
【図１０】図１０は、表示デバイス２２４の機能的構成例を示すブロック図である。
【図１１】図１１は、遠隔制御装置１０１の通信帯域設定処理動作の一例を示すフローチャートである。
【図１２】図１２は、バイタル情報の転送周期短縮動作の一例を示すシーケンス図である。
【図１３】図１３は、追加のバイタル情報取得動作の一例を示すシーケンス図である。
【図１４】図１４は、過去のバイタル情報取得動作の一例を示すシーケンス図である。
【発明を実施するための形態】
【００１０】
以下に、図面を参照して、本発明にかかる遠隔制御装置、遠隔制御システム、遠隔制御方法および遠隔制御プログラムの実施の形態を詳細に説明する。
【００１１】
（実施の形態）
図１は、遠隔制御システム１００の一実施例を示す説明図である。図１において、遠隔制御システム１００は、遠隔制御装置１０１と複数の無線通信装置１０２とを有する。遠隔制御装置１０１は、無線通信装置１０２からバイタルセンサの検出値を受信し、受信した検出値に基づき、無線通信装置１０２を制御するコンピュータである。また、無線通信装置１０２は、測定対象者に取り付けられたバイタルセンサの検出値を、遠隔制御装置１０１の制御に従って、遠隔制御装置１０１に送信するコンピュータである。ここで、測定対象者とは、無線通信装置１０２が取り付けられ、無線通信装置１０２のバイタルセンサによりバイタル情報が検出される対象者である。
【００１２】
ここで、バイタルセンサとは、測定対象者のバイタル情報を取得するセンサである。また、バイタル情報とは、測定対象者の生命兆候を示す情報である。例えば、バイタル情報には、心拍数、体温、呼吸数等がある。また、遠隔制御装置１０１の制御とは、遠隔制御装置１０１が、バイタルセンサが取得した検出値の送信を無線通信装置１０２に指示することである。
【００１３】
ここで、自衛隊や警察、消防等の訓練で、訓練参加者のバイタル情報を取得して、取得したバイタル情報に基づいて、訓練参加者の疲労や体調を定量的に管理することができる。しかしながら、統裁所と訓練参加者との間の通信帯域は限られている場合、訓練参加者が多い大規模な訓練では、測定対象者に取り付けられたバイタルセンサの検出値をすべて遠隔統裁所で受信することができない。ここで、統裁所とは、訓練を監視する者がいるところである。
【００１４】
このため、例えば、訓練参加者の特定のバイタルセンサの検出値を、バイタルセンサが検出値を検出する周期より長い周期で送信させる制御を行う場合がある。例えば、訓練参加者の心拍数、体温、呼吸数を１秒の周期で取得するバイタルセンサに対して、心拍数を１０秒の周期で送信させる制御を行う場合がある。この場合、監視側の装置が、バイタルセンサから情報を取得できる時間タイミングの間隔が長くなるため、訓練参加者の疲労や体調の変化をすぐに検出することができない場合がある。
【００１５】
そこで、実施の形態では、遠隔制御装置１０１は、訓練参加者に取り付けられた装置から送信された１種類以上のバイタル情報が特定の範囲を外れる場合、訓練参加者に取り付けられた無線通信装置１０２との通信帯域を増加させる。例えば、遠隔制御装置１０１は、１種類以上の検出値の送信間隔を狭めるか、又は、送信する対象の検出値の種類を増やすか、又は、未送信の過去の検出値を送信させる指示信号を送信する。これにより、遠隔制御装置１０１は、無線通信装置１０２から訓練参加者のバイタル情報をより多く取得できる。このため、遠隔制御装置１０１は、危険な状態である可能性が高い訓練参加者の疲労や体調を詳細に監視することができる。
【００１６】
以下、遠隔制御装置１０１の無線通信装置１０２に対する遠隔制御方法について説明する。また、実施の形態における遠隔制御装置１０１は、訓練参加者の疲労や体調を監視するだけでなく、バイタルセンサが取り付けられた対象者の疲労や体調を監視することができる。このため、以下の実施の形態の説明では、訓練参加者を、測定対象者と呼ぶ。
【００１７】
（１）遠隔制御装置１０１は、複数の対象者にそれぞれ取り付けられたバイタルセンサで取得された１種類以上の検出値を、それぞれの対象者に取り付けられた無線通信装置１０２から受信する。ここで、無線通信装置１０２には、複数のバイタルセンサが取り付けられる。しかし、遠隔制御装置１０１と無線通信装置１０２との間の通信帯域は、すべての測定対象者のすべてのバイタルセンサの検出値を送信できる通信帯域ではない。このため、無線通信装置１０２は、遠隔制御装置１０１から指示されたバイタルセンサで取得された検出値を所定の周期で送信し、遠隔制御装置１０１は、無線通信装置１０２から送信された検出値を受信する。ここで、所定の周期とは、バイタルセンサが検出値を取得する周期より長い周期または等しい周期である。
【００１８】
図１の例では、無線通信装置１０２には、心拍数、体温、呼吸数を取得できるバイタルセンサが取り付けられる。しかし、遠隔制御装置１０１と無線通信装置１０２との間の通信帯域は、測定対象者１１１と測定対象者１１２で測定した心拍数、体温、呼吸数をすべて送信できる通信帯域ではない。このため、無線通信装置１０２は、遠隔制御装置１０１から指示されたバイタルセンサで取得された心拍数を所定の周期で送信し、遠隔制御装置１０１は、無線通信装置１０２から送信された心拍数を受信する。
【００１９】
（２）遠隔制御装置１０１は、受信した１種類以上の検出値のうちの少なくとも１種類の検出値が所定範囲を外れるか否かを判断する。ここで、所定範囲とは、検出値が測定対象者の体調に異常がないことを示す特定の範囲の値である。特定の範囲は、例えば、すべての測定対象者の検出値の平均値、または、対象者の平常時の検出値に基づいて設定することができる。また、平常値とは、測定対象者が、平静の状態で測定された値である。また、特定の範囲は、例えば、測定対象者の１種類以上の複数種類の検出値に基づいて設定することもできる。特定の範囲の決定の仕方は、この方法に限る必要はない。
【００２０】
図１の例では、遠隔制御装置１０１は、測定対象者１１１と測定対象者１１２の心拍数を受信して、測定対象者１１２の心拍数が所定範囲を外れた検出値であると判断する。例えば、遠隔制御装置１０１に測定対象者１１２の平常時の心拍数が設定され、受信した測定対象者１１２の心拍数が平常時の心拍数を含む所定範囲に含まれない場合、遠隔制御装置１０１は、所定範囲を外れた検出値であると判断する。
【００２１】
（３）遠隔制御装置１０１は、受信した検出値が所定範囲を外れる場合、所定範囲を外れる検出値を送信した無線通信装置１０２に対して、検出値の送信間隔を狭めるか、又は、送信する対象の検出値の種類を増やすか、又は、未送信の過去の検出値を送信させる指示信号を送信する。これにより、通信帯域が増加された無線通信装置１０２は、遠隔制御装置１０１に送信することができなかったバイタルセンサの検出値を送信できるようになる。
【００２２】
図１の例では、遠隔制御装置１０１は、測定対象者１１２から受信した検出値が所定範囲を外れるため、測定対象者１１２の無線通信装置１０２との通信帯域を増加させることで送信する検出値の種類を増やす。これにより、通信帯域が増加された測定対象者１１２の無線通信装置１０２は、心拍数に加え、体温および呼吸数を遠隔制御装置１０１に送信することができる。
【００２３】
以上説明したように、遠隔制御装置１０１は、複数の対象者１１１、１１２にそれぞれ取り付けられたセンサで取得された１種類以上の検出値を、それぞれの対象者に取り付けられた無線通信装置１０２から受信する。遠隔制御装置１０１は、受信した１種類以上の検出値のうちの少なくとも１種類の検出値が特定の範囲を外れる場合に、対応する無線通信装置１０２に対して、１種類以上の検出値の送信間隔を狭めるか、又は、送信する対象の検出値の種類を増やすか、又は、未送信の過去の検出値を送信させる指示信号を送信する。
【００２４】
検出値が所定範囲を外れたバイタルセンサが取り付けられた測定対象者は体調に問題があり、危険な状態である可能性が高い。このため、遠隔制御装置１０１は、検出値が所定範囲を外れたバイタルセンサが取り付けられた測定対象者のバイタル情報をより多く取得することで、当該測定対象者の疲労や体調を詳細に監視させることができる。
【００２５】
（遠隔制御システム１００を適用した訓練システム２００の一例）
次に、図２を用いて、図１に示した遠隔制御システム１００を適用した訓練システム２００の一例について説明する。
【００２６】
図２は、遠隔制御システム１００を適用した訓練システム２００の一例を示す説明図である。図２の例では、訓練システム２００は、屋内にある訓練場で訓練を行うためのシステムである。訓練システム２００には、例えば、人員数名〜数百名が参加する。
【００２７】
図２において、訓練システム２００は、統裁室２１０と、訓練場となる屋内の１または複数の空間２２０とを含む。統裁室２１０は、遠隔制御装置１０１を含む。遠隔制御装置１０１は、表示デバイス２２４からバイタル情報を受信し、制御信号を送信するコンピュータである。遠隔制御装置１０１は、具体的には、サーバ、ＰＣ（Ｐｅｒｓｏｎａｌ  Ｃｏｍｐｕｔｅｒ）、ノートＰＣなどである。
【００２８】
屋内の空間２２０は、例えば、部屋や廊下などである。屋内の空間２２０は、部屋や廊下の一部であってもよい。屋内の空間２２０は、家屋や建物などの全体または階層であってもよい。屋内の空間２２０は、複数の参加者２２１と、無線中継器２２２とを含む。以下の説明では、無線中継器２２２を「中継器２２２」と表記する場合がある。
【００２９】
参加者２２１は、表示デバイス２２４を有する。表示デバイス２２４はバイタルセンサ２２３を有する。バイタルセンサ２２３とは、参加者２２１の健康状態を示す値を検出する検出手段を有する装置である。バイタルセンサ２２３は、例えば、心拍、脈拍、呼吸数、体温、および血圧などの値を検出する検出手段を有する装置である。バイタルセンサ２２３は、具体的には、脈拍センサや体温センサを含む腕時計型の装置であってもよい。ま、バイタルセンサ２２３は、心拍センサや脈拍センサや体温センサを含む装置であってもよい。バイタルセンサ２２３は、検出手段が検出した検出値を取得して、取得した検出値を表示デバイス２２４に送信する。
【００３０】
表示デバイス２２４は、バイタルセンサ２２３から検出値を受信し、受信した検出値を、中継器２２２を介して遠隔制御装置１０１に送信する。表示デバイス２２４は、具体的には、携帯電話、スマートフォン、ＰＤＡ（Ｐｅｒｓｏｎａｌ  Ｄｉｇｉｔａｌ  Ａｓｓｉｓｔａｎｔｓ）を利用することができる。ここで、図１に示した無線通信装置１０２は、表示デバイス２２４に対応する。表示デバイス２２４は、少なくとも通信機能を有する装置である。
【００３１】
中継器２２２は、表示デバイス２２４と、遠隔制御装置１０１との通信を中継する装置である。訓練システム２００において、遠隔制御装置１０１と、中継器２２２とは、有線または無線のネットワーク２３０を介して接続される。ネットワーク２３０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３２】
ここでは、訓練システム２００が、訓練場となる屋内の空間で訓練を行うためのシステムである場合について説明したが、これに限らない。例えば、訓練システム２００は、屋外、屋内および屋外の両方の空間を含む訓練場で訓練を行うためのシステムであってもよい。
【００３３】
また、ここでは、表示デバイス２２４とバイタルセンサ２２３とが別々の装置である場合について説明したが、これに限らない。例えば、表示デバイス２２４が、バイタルセンサ２２３を含んでもよい。また、バイタルセンサ２２３が、１つの装置ではなく、複数の装置の組み合わせによって実現されてもよい。
【００３４】
（遠隔制御装置１０１のハードウェアの一例）
次に、図３を用いて、図２に示した訓練システム２００に含まれる遠隔制御装置１０１のハードウェアの一例について説明する。
【００３５】
図３は、遠隔制御装置１０１のハードウェアの一例を示す説明図である。図３において、遠隔制御装置１０１は、ＣＰＵ（Ｃｅｎｔｒａｌ  Ｐｒｏｃｅｓｓｉｎｇ  Ｕｎｉｔ）３０１と、メモリ３０２と、インターフェイス３０３と、ディスクドライブ３０４と、ディスク３０５と、ディスプレイ３０６と、スピーカ３０７と、を有する。ＣＰＵ３０１と、メモリ３０２と、インターフェイス３０３と、ディスクドライブ３０４と、ディスプレイ３０６と、スピーカ３０７とは、バス３００によってそれぞれ接続される。
【００３６】
ここで、ＣＰＵ３０１は、遠隔制御装置１０１の全体の制御を司る演算処理装置である。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。
【００３７】
具体的には、例えば、ＲＯＭやフラッシュＲＯＭは、ブートプログラムなどの各種プログラムを記憶する不揮発性メモリである。ＲＡＭは、ＣＰＵ３０１のワークエリアとして使用される揮発性メモリである。メモリ３０２に記憶されるプログラムは、ＣＰＵ３０１にロードされることで、コーディングされている処理をＣＰＵ３０１に実行させる。
【００３８】
メモリ３０２は、図６に後述する管理優先度別の制御情報ＤＢ６００（Ｄａｔａ  Ｂａｓｅ）などの各種テーブルを記憶する。
【００３９】
インターフェイス３０３は、通信回線を通じてネットワーク２３０に接続され、ネットワーク２３０を介して他のコンピュータ（例えば、図２に示した中継器２２２）に接続される。そして、インターフェイス３０３は、ネットワーク２３０と内部のインターフェイスを司り、他のコンピュータからのデータの入出力を制御する。インターフェイス３０３には、例えば、モデムやＬＡＮアダプタなどを採用することができる。
【００４０】
ディスクドライブ３０４は、ＣＰＵ３０１の制御に従ってディスク３０５に対するデータのリード／ライトを制御する。ディスクドライブ３０４は、例えば、磁気ディスクドライブや光ディスクドライブなどである。ディスク３０５は、ディスクドライブ３０４の制御で書き込まれたデータを記憶する不揮発メモリである。ディスク３０５は、メモリ３０２の代わりに、図６に後述する管理優先度別の制御情報ＤＢ６００などの各種テーブルを記憶してもよい。ディスク３０５は、例えば、磁気ディスクや光ディスクなどである。
【００４１】
ディスプレイ３０６は、カーソル、アイコンあるいはツールボックスをはじめ、文書、画像、機能情報などのデータを表示する。ディスプレイ３０６は、例えば、ＣＲＴ、ＴＦＴ液晶ディスプレイ、プラズマディスプレイなどを採用することができる。また、ディスプレイ３０６は、タッチパネルを有して、ディスプレイ３０６上のアイコン等の表示を押すことで機器を操作する入力装置であってもよい。スピーカ３０７は、音声を出力する。
【００４２】
遠隔制御装置１０１は、上述した構成部のほか、例えば、ＳＳＤ（Ｓｏｌｉｄ  Ｓｔａｔｅ  Ｄｒｉｖｅ）、キーボード、マウスなどを有することにしてもよい。また、遠隔制御装置１０１は、ディスクドライブ３０４およびディスク３０５の代わりに、ＳＳＤなどを有することにしてもよい。
【００４３】
（表示デバイス２２４のハードウェアの一例）
次に、図４を用いて、図２に示した訓練システム２００に含まれる表示デバイス２２４のハードウェアの一例について説明する。
【００４４】
図４は、表示デバイス２２４のハードウェアの一例を示す説明図である。図４において、表示デバイス２２４は、ＣＰＵ４０１と、ＲＯＭ４０２と、ＲＡＭ４０３と、を有する。さらに、表示デバイス２２４は、無線通信回路４０４と、近距離無線通信回路４０５と、を有する。さらに、表示デバイス２２４は、マイク４０６と、ディスプレイ４０７と、を有する。
【００４５】
さらに、表示デバイス２２４は、充電制御部４０８と、二次電池４０９と、電圧生成部４１０と、を有する。ＣＰＵ４０１と、ＲＯＭ４０２と、ＲＡＭ４０３と、無線通信回路４０４と、近距離無線通信回路４０５と、マイク４０６と、ディスプレイ４０７とは、バス４００によって接続される。
【００４６】
ＣＰＵ４０１は、表示デバイス２２４の全体の制御を司る演算処理装置である。ＲＯＭ４０２は、ブートプログラムなどのプログラムを記憶する不揮発性メモリである。ＲＡＭ４０３は、ＣＰＵ４０１のワークエリアとして使用される揮発性メモリである。
【００４７】
無線通信回路４０４は、受信した電波に対応する情報を出力し、入力された情報を電波として送信する。無線通信回路４０４は、例えば、Ｗｉ−Ｆｉに対応する通信回路である。近距離無線通信回路４０５は、受信した電波に対応する情報を出力し、入力された情報を電波として送信する。近距離無線通信回路４０５は、例えば、Ｂｌｕｅｔｏｏｔｈ（登録商標）に対応する通信回路である。電波の干渉を回避するために、無線通信回路４０４と、近距離無線通信回路４０５とは、それぞれ異なる周波数帯域を用いてもよい。
【００４８】
マイク４０６は、周囲の音声を検出し、検出した音声に対応する音声信号を出力する。ディスプレイ４０７は、カーソル、アイコンあるいはツールボックスをはじめ、文書、画像、機能情報などのデータを表示する。ディスプレイ４０７は、例えば、液晶ディスプレイ、有機ＥＬ（Ｅｌｅｃｔｒｏ  Ｌｕｍｉｎｅｓｃｅｎｃｅ）ディスプレイなどである。充電制御部４０８は、外部の充電用電源から供給される電力を二次電池４０９に供給し、二次電池４０９に電力を蓄える制御を行う装置である。二次電池４０９は、充電制御部４０８の制御により電力を蓄える装置である。電圧生成部４１０は、二次電池４０９によって蓄えられた電力を、表示デバイス２２４の各部に駆動電源として供給する制御を行う装置である。
【００４９】
（バイタルセンサ２２３のハードウェアの一例）
次に、図５を用いて、図２に示した訓練システム２００に含まれるバイタルセンサ２２３のハードウェアの一例について説明する。
【００５０】
図５は、バイタルセンサ２２３のハードウェアの一例を示す説明図である。図５において、バイタルセンサ２２３は、ＣＰＵ５０１と、ＲＯＭ５０２と、ＲＡＭ５０３と、を有する。さらに、バイタルセンサ２２３は、近距離無線通信回路５０４を有する。さらに、バイタルセンサ２２３は、心拍センサ５０５と、温度センサ５０６と、血流センサ５０７と、を有する。
【００５１】
さらに、バイタルセンサ２２３は、充電制御部５０８と、二次電池５０９と、電圧生成部５１０と、を有する。ＣＰＵ５０１と、ＲＯＭ５０２と、ＲＡＭ５０３と、近距離無線通信回路５０４と、心拍センサ５０５と、温度センサ５０６と、血流センサ５０７とは、バス５００によって接続される。
【００５２】
ＣＰＵ５０１は、バイタルセンサ２２３の全体の制御を司る演算処理装置である。例えば、ＣＰＵ５０１は、心拍センサ５０５と、温度センサ５０６と、血流センサ５０７とのそれぞれの検出値を取得して処理する。ＲＯＭ５０２は、ブートプログラムなどのプログラムを記憶する不揮発性メモリである。ＲＡＭ５０３は、ＣＰＵ５０１のワークエリアとして使用される揮発性メモリである。
【００５３】
近距離無線通信回路５０４は、受信した電波に対応する情報を出力し、入力された情報を電波として送信する。近距離無線通信回路５０４は、例えば、Ｂｌｕｅｔｏｏｔｈに対応する通信回路である。心拍センサ５０５は、バイタルセンサ２２３を取り付けている対象者の心拍を検出する装置である。温度センサ５０６は、バイタルセンサ２２３を取り付けている対象者の体温を検出する装置である。血流センサ５０７は、バイタルセンサ２２３を取り付けている対象者の血流量を測定し、脈拍数を検出する装置である。また、図示してはいないが、バイタルセンサ２２３は、歩数、発汗量、消費ｃａｌ（ｃａｌｏｒｉｅ）を測定するセンサも有する。
【００５４】
充電制御部５０８は、外部の充電用電源から供給される電力を二次電池５０９に供給し、二次電池５０９に電力を蓄える制御を行う装置である。二次電池５０９は、充電制御部５０８の制御により電力を蓄える装置である。電圧生成部５１０は、二次電池５０９によって蓄えられた電力を、バイタルセンサ２２３の各部に駆動電源として供給する制御を行う装置である。なお、図５の例では、複数種類のセンサがバイタルセンサ２２３の中に組み込まれた例を示しているが、この構成に限る必要はない。例えば、複数種類のセンサは、検出した値をバイタルセンサ２２３もしくは表示デバイス２２４に送信できれば、それぞれ別筐体に格納されていても構わない。
【００５５】
（管理優先度別の制御情報ＤＢ６００の一例）
図６は、遠隔制御装置１０１の管理優先度別の制御情報ＤＢ６００の一例を示す説明図である。図６において、遠隔制御装置１０１の管理優先度別の制御情報ＤＢ６００は、例えば、遠隔制御装置１０１によって作成、更新され、遠隔制御装置１０１のメモリ３０２またはディスク３０５に記憶される。
【００５６】
管理優先度別の制御情報ＤＢ６００は、取得項目テーブル６０１、転送周期テーブル６０２および蓄積情報報告テーブル６０３を有する。
【００５７】
取得項目テーブル６０１は、管理優先度、異常度、振り分け条件および取得項目の項目を有する。取得項目テーブル６０１は、各項目に情報を設定することで、取得項目情報を１レコードとして記憶する。例えば、図６に示す取得項目テーブル６０１は、取得項目情報６０１−１〜６０１−１０を各レコードとして記憶する。
【００５８】
ここで、管理優先度は、振り分け条件を満たす測定対象者に対する管理の優先度を示す。例えば、遠隔制御装置１０１は、管理優先度が高いほど、より詳細に監視する測定対象者であると判断する。また、異常度は、振り分け条件を満たす測定対象者の状態の異常度を示す。例えば、遠隔制御装置１０１は、管理優先度が高いほど、測定対象者の状態の異常度が大きくなるように設定する。また、振り分け条件は、測定対象者が対応する管理優先度に属するための条件を示す。例えば、遠隔制御装置１０１は、測定対象者を特定の条件でソートし、上位何％に入るかで測定対象者を振り分けることができる。また、取得項目は、対応する管理優先度の測定対象者で取得されたバイタルセンサ２２３の検出値のうち、遠隔制御装置１０１に送信される検出値を示す。
【００５９】
また、取得項目テーブル６０１の振り分け条件と取得項目は、振り分け条件を満たす測定対象者が取得項目の検出値を遠隔制御装置１０１に送信しても、遠隔制御装置１０１と表示デバイス２２４と間の全体の通信帯域を超えないように設定される。
【００６０】
図６の例では、レコード６０１−１は、測定対象者が特定の条件でソートされ、上位１０％に入る場合、測定対象者は、管理優先度が「高」であり、異常度が「大」であり、「心拍数」が遠隔制御装置１０１に送信されることを示す。
【００６１】
転送周期テーブル６０２は、管理優先度、異常度、振り分け条件および転送周期の項目を有する。転送周期テーブル６０２は、各項目に情報を設定することで、転送周期情報を１レコードとして記憶する。例えば、図６に示す転送周期テーブル６０２は、転送周期情報６０２−１〜６０２−３を各レコードとして記憶する。
【００６２】
ここで、管理優先度、異常度および振り分け条件は、取得項目テーブル６０１と同じ情報を有する。また、転送周期は、対応する管理優先度の測定対象者で取得されるバイタルセンサ２２３の検出値が遠隔制御装置１０１に送信される周期を示す。
【００６３】
また、転送周期テーブル６０２の振り分け条件と転送周期は、振り分け条件を満たす測定対象者が転送周期で検出値を遠隔制御装置１０１に送信しても、遠隔制御装置１０１と表示デバイス２２４と間の全体の通信帯域を超えないように設定される。
【００６４】
図６の例では、レコード６０２−１は、測定対象者が特定の条件でソートされ、上位１０％に入る場合、測定対象者は、管理優先度が「高」であり、異常度が「大」であり、センサの検出値の転送周期が１秒であることを示す。
【００６５】
蓄積情報報告テーブル６０３は、管理優先度、異常度、振り分け条件および蓄積情報報告の項目を有する。蓄積情報報告テーブル６０３は、各項目に情報を設定することで、蓄積情報報告情報を１レコードとして記憶する。例えば、図６に示す蓄積情報報告テーブル６０３は、蓄積情報報告情報６０３−１〜６０３−３を各レコードとして記憶する。
【００６６】
ここで、管理優先度、異常度および振り分け条件は、取得項目テーブル６０１と同じ情報を有する。また、蓄積情報報告は、対応する管理優先度の測定対象者で取得され、蓄積したバイタルセンサ２２３の検出値を送信するか否かを示す。例えば、蓄積情報報告が「要」の場合、対応する管理優先度の測定対象者の表示デバイス２２４は、蓄積したバイタルセンサ２２３の検出値を、バイタルセンサ２２３の検出値とともに送信する。また、蓄積情報報告が「不要」の場合、対応する管理優先度の測定対象者の表示デバイス２２４は、蓄積したバイタルセンサ２２３の検出値を送信しない。
【００６７】
図６の例では、レコード６０３−１は、測定対象者が特定の条件でソートされ、上位１０％に入る場合、測定対象者は、管理優先度が「高」であり、異常度が「大」であり、蓄積情報報告が「要」であることを示す。
【００６８】
また、蓄積情報報告テーブル６０３の振り分け条件と蓄積情報報告は、振り分け条件を満たす測定対象者が蓄積した検出値を遠隔制御装置１０１に送信しても、遠隔制御装置１０１と表示デバイス２２４と間の全体の通信帯域を超えないように設定される。
【００６９】
（電文７０１の一例）
図７は、電文７０１の一例を示す説明図である。図７において、電文７０１は、遠隔制御装置１０１によって作成、更新され、表示デバイス２２４に送信される。電文７０１は、遠隔制御装置１０１が表示デバイス２２４を制御するための制御信号である。
【００７０】
電文７０１は、測定対象者ＩＤ（Ｉｄｅｎｔｉｆｉｃａｔｉｏｎ）、項目名、転送要否、転送周期および蓄積情報報告の項目を有する。電文７０１は、各項目に情報を設定した後に、表示デバイス２２４に送信される。
【００７１】
ここで、測定対象者ＩＤは、測定対象者を識別するための識別子を示す。例えば、表示デバイス２２４に、表示デバイス２２４が取り付けられた測定対象者の測定対象者ＩＤを設定しておくことで、表示デバイス２２４は、測定対象者ＩＤに基づいて、自装置に送信された電文７０１であるか否かを判定することができる。
【００７２】
また、項目名は、表示デバイス２２４が遠隔制御装置１０１に送信するバイタルセンサ２２３の項目を示す。転送要否は、項目名の項目の検出値を遠隔制御装置１０１に送信するか否かを示す。例えば、転送要否が「要」である場合、表示デバイス２２４は項目名の項目の検出値を遠隔制御装置１０１に送信し、転送要否が「否」である場合、表示デバイス２２４は項目名の項目の検出値を遠隔制御装置１０１に送信しない。転送周期は、表示デバイス２２４が測定対象者で取得したバイタルセンサ２２３の検出値を送信する周期を示す。単位は例えば秒である。蓄積情報報告は、表示デバイス２２４が測定対象者で取得したバイタルセンサ２２３の検出値を蓄積した情報を送信するか否かを示す。
【００７３】
また、遠隔制御装置１０１は、電文７０１内に、項目名、転送要否、転送周期および蓄積情報報告の項目を複数設定することができる。この場合、遠隔制御装置１０１は、一つの電文７０１で複数の項目に対する制御を行うことができる。また、遠隔制御装置１０１は、電文７０１で、項目名以外の転送要否、転送周期および蓄積情報報告はすべて設定しなくてもよい。この場合、表示デバイス２２４は、現在の設定またはデフォルトの設定で遠隔制御装置１０１に検出値を送信する。
【００７４】
図７の例では、電文７０１は、測定対象者ＩＤ「１００１」の測定対象者に取り付けられた表示デバイス２２４が、バイタルセンサ２２３が検出した心拍数を１０秒周期で送信し、蓄積した心拍数を送信しないことを示す。
【００７５】
（電文８０１の一例）
図８は、電文８０１の一例を示す説明図である。図８において、電文８０１は、表示デバイス２２４によって作成、更新され、遠隔制御装置１０１に送信される。
【００７６】
電文８０１は、測定対象者ＩＤ、項目名、検出値および時刻の項目を有する。電文８０１は、各項目に情報を設定した後に、遠隔制御装置１０１に送信される。
【００７７】
ここで、測定対象者ＩＤは、測定対象者を識別するための識別子を示す。項目名は、表示デバイス２２４が遠隔制御装置１０１に送信するバイタルセンサ２２３の項目を示す。検出値は、対応する項目名の項目を表示デバイス２２４が測定対象者で取得したバイタルセンサ２２３の検出値を示す。時刻は、バイタルセンサ２２３が検出値を取得した時刻を示す。
【００７８】
また、表示デバイス２２４は、電文８０１内に、項目名、検出値および時刻の項目を複数設定することもできる。この場合、表示デバイス２２４は、一つの電文８０１で複数の項目の検出値を遠隔制御装置１０１に送信することができる。
【００７９】
図８の例では、電文８０１は、測定対象者ＩＤ「１００１」の測定者に取り付けられた表示デバイス２２４のバイタルセンサ２２３が、１６時２０分４８秒に心拍数１１３を検出したことを示す。
【００８０】
（遠隔制御装置１０１の機能的構成例）
次に、図２に示した遠隔制御装置１０１の機能的構成例について説明する。図９は、遠隔制御装置１０１の機能的構成例を示すブロック図である。図９において遠隔制御装置１０１は、受信部９０１と、決定部９０２と、送信部９０３と、を含む構成である。決定部９０２は、具体的には、例えば、図３に示したメモリ３０２などの記憶装置に記憶されたプログラムをＣＰＵ３０１に実行させることにより、その機能を実現する。また、インターフェイス３０３は、受信部９０１、送信部９０３の機能を実現する。インターフェイス３０３により実現される受信部９０１、送信部９０３をまとめて通信部と表現することもできる。各機能部の処理結果は、例えば、図３に示したメモリ３０２などの記憶装置に記憶される。
【００８１】
受信部９０１は、表示デバイス２２４が一定の周期で送信するバイタルセンサ２２３の検出値を受信する機能を有する。例えば、表示デバイス２２４が１０秒の周期で送信する測定対象者の心拍数を含む電文８０１を受信する。受信部９０１は、受信したバイタルセンサ２２３の検出値を決定部９０２に通知する。
【００８２】
決定部９０２は、受信部９０１が通知したバイタルセンサ２２３の検出値に基づき、検出値を送信した表示デバイス２２４との通信帯域を決定する機能を有する。決定部９０２は、例えば、複数の測定対象者からの検出値に基づき、検出値を送信した表示デバイス２２４との通信帯域を決定することができる。また、決定部９０２は、例えば、測定対象者の平常時の検出値に基づき、検出値を送信した表示デバイス２２４との通信帯域を決定することができる。また、決定部９０２は、決定した通信帯域を送信部９０３に通知する。
【００８３】
決定部９０２は、複数の測定対象者からの検出値に基づき、通信帯域を決定する際、複数の測定対象者をいくつかのグループに分割し、グループ毎に通信帯域を決定することができる。決定部９０２は、例えば、管理優先度が高いグループの測定対象者には、管理優先度が低いグループの測定対象者より、多くの通信帯域を割り当てることができる。これにより、遠隔制御装置１０１は、管理優先度が高いグループの測定対象者から、管理優先度が低いグループの測定対象者より多くのバイタルセンサ２２３の検出値を受信することができる。
【００８４】
決定部９０２は、例えば、複数の測定対象者毎に検出値の偏差を算出し、偏差の絶対値に基づき降順に複数の測定対象者をソートして、複数の測定対象者をグループに割り当てる。例えば、決定部９０２は、管理優先度別の制御情報ＤＢ６００の振り分け条件に基づいて、複数の測定対象者をグループに割り当てることができる。
【００８５】
この場合、決定部９０２は、偏差の絶対値が上位１０％以上である測定対象者を、管理優先度高のグループに割り当て、偏差の絶対値が上位１０％未満かつ５０％以上である測定対象者を、管理優先度中のグループに割り当てる。また、決定部９０２は、偏差の絶対値が上位５０％未満かつ１００％以上である測定対象者を、管理優先度低のグループに割り当てる。
【００８６】
具体的に、測定対象者Ａの心拍数が１１３ｂｐｍ（ｂｅａｔｓ  ｐｅｒ  ｍｉｎｕｔｅ）であり、測定対象者Ｂの心拍数が８１ｂｐｍであり、測定対象者Ｃの心拍数が７８ｂｐｍであったとする。この場合、平均値は、９０．７ｂｐｍであり、測定対象者Ａの偏差の絶対値は、２２．３、測定対象者Ｂの偏差の絶対値は、９．７、測定対象者Ｃの偏差の絶対値は、１２．７になる。測定対象者は、偏差の絶対値に基づき降順にソートされ、測定対象者Ａ、測定対象者Ｃ、測定対象者Ｂの順になり、この順に基づき、測定対象者がグループに振り分けられる。
【００８７】
決定部９０２は、例えば、グループ毎に遠隔制御装置１０１に送信するバイタルセンサ２２３の項目を割り当てることで、グループに属する測定対象者の通信帯域を決定することができる。決定部９０２は、例えば、取得項目テーブル６０１に基づいて、遠隔制御装置１０１に送信するバイタルセンサ２２３の項目を割り当てる。例えば、決定部９０２は、管理優先度高のグループの測定対象者に、心拍数、体温、歩数、脈拍数、発汗量、消費ｃａｌ、音声信号を遠隔制御装置１０１に送信する項目として割り当てる。また、決定部９０２は、管理優先度中のグループの測定対象者に、心拍数、体温を遠隔制御装置１０１に送信する項目として割り当て、管理優先度低のグループの測定対象者に、心拍数を遠隔制御装置１０１に送信する項目として割り当てる。この場合、決定部９０２は、測定対象者毎に遠隔制御装置１０１に送信する項目を送信部９０３に通知する。
【００８８】
また、決定部９０２は、管理優先度中のグループの測定対象者が、管理優先度高のグループであった場合、遠隔制御装置１０１に送信しない項目を送信部９０３に通知する。管理優先度低のグループの測定対象者が、管理優先度高のグループまたは管理優先度中のグループであった場合も同様である。例えば、管理優先度中のグループの測定対象者が、管理優先度高のグループであった場合、歩数、脈拍数、発汗量、消費ｃａｌ、音声を遠隔制御装置１０１に送信しない項目として、送信部９０３に通知する。
【００８９】
このように、決定部９０２は、管理優先度が高いグループほど、多くの通信帯域を割り当て、バイタルセンサ２２３の多くの検出値を送信させる。このため、遠隔制御装置１０１は、管理優先度が高いグループの測定対象者の状態を異なる種類の検出値で監視させることができる。
【００９０】
また、決定部９０２は、例えば、グループ毎にバイタルセンサ２２３が取得した項目の遠隔制御装置１０１に送信する転送周期を変更することで、グループに属する測定対象者の通信帯域を決定することができる。決定部９０２は、例えば、転送周期テーブル６０２に基づいて、バイタルセンサ２２３が取得した項目の遠隔制御装置１０１に送信する転送周期を変更する。例えば、決定部９０２は、管理優先度高のグループに、バイタルセンサ２２３が取得した項目の遠隔制御装置１０１に送信する転送周期を１秒とすることができる。また、決定部９０２は、管理優先度中のグループに、バイタルセンサ２２３が取得した項目の遠隔制御装置１０１に送信する転送周期を５秒とすることができる。また、決定部９０２は、管理優先度低のグループに、バイタルセンサ２２３が取得した項目の遠隔制御装置１０１に送信する転送周期を１０秒とすることができる。この場合、決定部９０２は、測定対象者毎にバイタルセンサ２２３が取得した項目の遠隔制御装置１０１に送信する転送周期を送信部９０３に通知する。
【００９１】
このように、決定部９０２は、管理優先度が高いグループほど、多くの通信帯域を割り当て、バイタルセンサ２２３の検出値をより短い周期で送信させることができる。このため、遠隔制御装置１０１は、管理優先度が高いグループの測定対象者の状態をより短い時間で監視させることができる。
【００９２】
また、決定部９０２は、例えば、管理優先度が高いグループにバイタルセンサ２２３の検出値を蓄積した情報を、バイタルセンサ２２３の検出値とともに送信させることで、グループに属する測定対象者の通信帯域を決定することができる。決定部９０２は、例えば、蓄積情報報告テーブル６０３に基づいて、バイタルセンサ２２３の検出値を蓄積した情報を送信させるか否かを決定する。例えば、決定部９０２は、管理優先度高のグループの測定対象者に、バイタルセンサ２２３の検出値を蓄積した情報を送信させることができる。また、決定部９０２は、管理優先度中のグループの測定対象者および管理優先度低のグループの測定対象者に、バイタルセンサ２２３の検出値を蓄積した情報を送信させないことができる。この場合、決定部９０２は、管理優先度が高いグループの測定対象者にバイタルセンサ２２３の検出値を蓄積した情報を、バイタルセンサ２２３の検出値とともに送信させることを送信部９０３に通知する。
【００９３】
このように、決定部９０２は、管理優先度が高いグループほど、多くの通信帯域を割り当て、バイタルセンサ２２３の検出値を多く送信させる。このため、遠隔制御装置１０１は、管理優先度が高いグループの測定対象者の状態を、検出値を蓄積した情報から監視させることができる。
【００９４】
以上のように、決定部９０２は、取得項目テーブル６０１、転送周期テーブル６０２および蓄積情報報告テーブル６０３に基づいて、通信帯域の増加量を決定することができる。これにより、決定部９０２は、遠隔制御装置１０１と表示デバイス２２４と間の全体の通信帯域を超えることなく、管理優先度が高いグループほど、多くの通信帯域を割り当てることができる。
【００９５】
また、決定部９０２は、測定対象者からの検出値に基づき、通信帯域を決定する際、測定対象者の検出値が所定範囲を外れた場合、測定対象者の通信帯域を決定することができる。例えば、決定部９０２は、検出値が所定範囲を外れた測定対象者の通信帯域を増加させることができる。また、決定部９０２は、検出値が所定範囲を外れた測定対象者以外の測定対象者の通信帯域を減少させることができる。例えば、決定部９０２は、検出した心拍数が、平常時の検出値を含む所定範囲に含まれない場合、検出値が所定範囲を外れたとすることができる。
【００９６】
決定部９０２は、検出値が所定範囲を外れた測定対象者に対して、遠隔制御装置１０１に送信するバイタルセンサ２２３の項目を割り当てることで、検出値が所定範囲を外れた測定対象者の通信帯域を決定することができる。例えば、決定部９０２は、検出値が所定範囲を外れた測定対象者に対して、多くの通信帯域を割り当てることができる。このため、遠隔制御装置１０１は、多くのバイタルセンサ２２３の検出値を取得し、検出値が所定範囲を外れた測定対象者の状態を異なる種類の検出値で監視させることができる。また、遠隔制御装置１０１は、検出値が所定範囲を外れた測定対象者の音声をマイク４０６で取得できる。これにより、測定対象者の音声により、検出値が所定範囲を外れたバイタルセンサ２２３が取り付けられた測定対象者の疲労や体調を監視させることができる。
【００９７】
また、決定部９０２は、検出値が所定範囲を外れた測定対象者に対して、バイタルセンサ２２３が取得した項目の遠隔制御装置１０１に送信する転送周期を変更することで通信帯域を決定することができる。例えば、決定部９０２は、検出値が所定範囲を外れた測定対象者に対して、バイタルセンサ２２３の検出値をより短い周期で送信させることができる。このため、遠隔制御装置１０１は、検出値が所定範囲を外れた測定対象者の状態をより短い時間で監視させることができる。
【００９８】
また、決定部９０２は、検出値が所定範囲を外れた測定対象者に対して、バイタルセンサ２２３の検出値を蓄積した情報を、バイタルセンサ２２３の検出値とともに送信させることで、通信帯域を決定することができる。例えば、決定部９０２は、検出値が所定範囲を外れた測定対象者に対して、多くの通信帯域を割り当て、バイタルセンサ２２３の検出値を蓄積した情報を送信させることができる。このため、遠隔制御装置１０１は、検出値が所定範囲を外れた測定対象者の過去の状態を、所定範囲を外れる前の検出値から監視させることができる。
【００９９】
送信部９０３は、決定部９０２から通知された通信帯域に基づき、表示デバイス２２４に制御信号を送信する機能を有する。例えば、決定部９０２から、測定対象者毎に遠隔制御装置１０１にさらに送信する項目が通知された場合、送信部９０３は、測定対象者の表示デバイス２２４に、取得する項目の項目名が設定され、転送要否に「要」が設定された電文７０１を送信する。また、例えば、決定部９０２から、測定対象者毎に遠隔制御装置１０１に送信しない項目が通知された場合、送信部９０３は、測定対象者の表示デバイス２２４に、取得しない項目の項目名が設定され、転送要否に「否」が設定された電文７０１を送信する。
【０１００】
また、例えば、決定部９０２から、測定対象者毎に遠隔制御装置１０１に送信する項目の転送周期が通知された場合、送信部９０３は、測定対象者の表示デバイス２２４に、取得する項目の項目名が設定され、転送周期に通知された転送周期が設定された電文７０１を送信する。また、例えば、決定部９０２から、測定対象者毎にバイタルセンサ２２３の検出値を蓄積した情報を送信させることが通知された場合、送信部９０３は、取得する項目の項目名が設定され、蓄積情報報告に「要」が設定された電文７０１を送信する。
【０１０１】
（表示デバイス２２４の機能的構成例）
次に、図２に示した表示デバイス２２４の機能的構成例について説明する。図１０は、表示デバイス２２４の機能的構成例を示すブロック図である。図１０において表示デバイス２２４は、受信部１００１と、制御部１００２と、送信部１００３と、センサ部１００４と、を含む構成である。受信部１００１と、制御部１００２と、送信部１００３と、センサ部１００４と、を含む制御部は、具体的には、例えば、図４に示したＲＡＭ４０３などの記憶装置に記憶されたプログラムをＣＰＵ４０１に実行させることにより、その機能を実現する。各機能部の処理結果は、例えば、図４に示したＲＡＭ４０３などの記憶装置に記憶される。
【０１０２】
受信部１００１は、遠隔制御装置１０１が送信した制御信号を受信する機能を有する。受信部１００１は、例えば、取得する項目の項目名が設定され、転送要否に「要」が設定された電文７０１を受信する。また、受信部１００１は、例えば、取得する項目の項目名が設定され、転送要否に「否」が設定された電文７０１を受信する。また、受信部１００１は、例えば、取得する項目の項目名が設定され、転送周期が設定された電文７０１を受信する。また、受信部１００１は、例えば、取得する項目の項目名が設定され、蓄積情報報告に「要」が設定された電文７０１を受信する。また、受信部１００１は、受信した制御信号を制御部１００２に通知する。
【０１０３】
制御部１００２は、受信部１００１から通知された制御信号に基づき、センサ部１００４から通知されたバイタルセンサ２２３の検出値を送信部１００３に通知する機能を有する。また、制御部１００２は、センサ部１００４からバイタルセンサ２２３の検出値を検出した時刻を取得して、検出値とともに送信部１００３に通知することもできる。
【０１０４】
制御部１００２は、取得する項目の項目名が設定され、転送要否に「要」が設定された電文７０１を受信した場合、電文７０１の項目名の検出値を、センサ部１００４から受け取り、受け取った検出値を送信部１００３に通知する。
【０１０５】
また、制御部１００２は、取得する項目の項目名が設定され、転送要否に「否」が設定された電文７０１を受信した場合、電文７０１の項目名の検出値を、センサ部１００４から受け取り、受け取った検出値を送信部１００３に通知しない。この際、制御部１００２は、受け取った検出値を、例えば、表示デバイス２２４の記憶装置に蓄積することができる。
【０１０６】
また、制御部１００２は、取得する項目の項目名が設定され、転送周期が設定された電文７０１を受信した場合、電文７０１の項目名の検出値を、センサ部１００４から受け取り、受け取った検出値を電文７０１の転送周期に従って送信部１００３に通知する。この際、制御部１００２は、転送周期より短い周期で受け取った検出値を、例えば、表示デバイス２２４の記憶装置に蓄積することができる。
【０１０７】
また、制御部１００２は、取得する項目の項目名が設定され、蓄積情報報告に「要」が設定された電文７０１を受信した場合、表示デバイス２２４の記憶装置に蓄積された電文７０１の項目名の検出値を送信部１００３に通知する。
【０１０８】
送信部１００３は、制御部１００２から通知された項目名の検出値から電文８０１を作成し、遠隔制御装置１０１に送信する機能を有する。また、送信部１００３は、制御部１００２から、検出値とともに時刻が通知された場合、電文８０１に時刻を設定することができる。
【０１０９】
センサ部１００４は、バイタルセンサ２２３が検出した検出値を制御部１００２に通知する機能を有する。また、センサ部１００４はバイタルセンサ２２３が検出値を検出した時刻を制御部１００２に通知することもできる。
【０１１０】
（通信帯域設定処理動作の一例）
図１１は、遠隔制御装置１０１の通信帯域設定処理動作の一例を示すフローチャートである。図１１において、遠隔制御装置１０１は、表示デバイス２２４から全測定対象者のバイタル情報を受信する（ステップＳ１１０１）。例えば、遠隔制御装置１０１は、心拍数の検出値が設定された電文８０１を全測定対象者の表示デバイス２２４から受信する。
【０１１１】
遠隔制御装置１０１は、受信した全測定対象者のバイタル情報について偏差の絶対値を算出する（ステップＳ１１０２）。例えば、遠隔制御装置１０１は、全測定対象者の心拍数の検出値から全測定対象者の心拍数の偏差の絶対値を算出する。即ち、図１１の例では、遠隔制御装置１０１は、異常を検出するための特定の範囲を、検出値の平均値を用いる代わりに、検出値の偏差を用いて決定している。
【０１１２】
遠隔制御装置１０１は、算出した偏差の絶対値を基準に全測定対象者を降順でソートする（ステップＳ１１０３）。例えば、遠隔制御装置１０１は、算出した心拍数の偏差の絶対値が大きいものから順に全測定対象者をソートする。
【０１１３】
遠隔制御装置１０１は、振り分け条件に基づき、ソートした測定対象者に管理優先度を設定する（ステップＳ１１０４）。例えば、遠隔制御装置１０１は、管理優先度別の制御情報ＤＢ６００に基づき、管理優先度高の振り分け条件を満たす測定対象者に管理優先度高の管理優先度を設定する。また、遠隔制御装置１０１は、管理優先度中の振り分け条件を満たす測定対象者に管理優先度中の管理優先度を設定し、管理優先度低の振り分け条件を満たす測定対象者に管理優先度低の管理優先度を設定する。
【０１１４】
遠隔制御装置１０１は、設定された管理優先度に基づき、測定対象者の通信帯域を設定する（ステップＳ１１０５）。例えば、遠隔制御装置１０１は、測定対象者に対して、設定された管理優先度に基づき、取得するセンサの検出値の項目を受信できる通信帯域を設定する。また、例えば、遠隔制御装置１０１は、測定対象者に対して、設定された管理優先度に基づき、取得するバイタルセンサ２２３の検出値の転送周期を変更し、変更した転送周期でバイタルセンサ２２３の検出値を受信できる通信帯域を設定する。また、例えば、遠隔制御装置１０１は、測定対象者に対して、設定された管理優先度に基づき、バイタルセンサ２２３の検出値を蓄積した情報を受信できる通信帯域を設定する。
【０１１５】
これにより、本フローチャートにおける一連の処理は終了する。本フローチャートを実行することで、遠隔制御装置１０１は、測定対象者に管理優先度を設定して、管理優先度に基づいた通信帯域を設定することができる。
【０１１６】
（バイタル情報の転送周期短縮動作の一例）
図１２は、バイタル情報の転送周期短縮動作の一例を示すシーケンス図である。図１２において、まず、表示デバイス２２４は、所定の周期で遠隔制御装置１０１にバイタル情報を送信する（ステップＳ１２０１〜ステップＳ１２０４）。
【０１１７】
バイタル情報を受信した遠隔制御装置１０１は、受信したバイタル情報が所定範囲を外れた異常値であることを検出する（ステップＳ１２０５）。例えば、遠隔制御装置１０１は、受信したバイタル情報が所定範囲内にないことにより異常値であることを検出する。また、例えば、遠隔制御装置１０１は、受信したバイタル情報から算出された偏差の絶対値が、管理優先度別の制御情報ＤＢ６００の振り分け条件の上位１０％以上にあることにより、異常値であることを検出することもできる。
【０１１８】
遠隔制御装置１０１は、異常値を検出した測定対象者の表示デバイス２２４に、転送周期の変更を指示する（ステップＳ１２０６）。これを受けて、表示デバイス２２４は、バイタル情報を送信する転送周期を変更する（ステップＳ１２０７）。この後、表示デバイス２２４は、変更した周期で遠隔制御装置１０１にバイタル情報を送信する（ステップＳ１２０８〜ステップＳ１２１１）。
【０１１９】
これにより、本シーケンス図における一連のステップを終了する。本シーケンスを実行することで、遠隔制御装置１０１は、受信したバイタル情報で異常値を検出した測定対象者のバイタル情報の転送周期を短縮し、異常値を検出した測定対象者のバイタル情報をより詳細に取得することができる。
【０１２０】
（追加のバイタル情報取得動作の一例）
図１３は、追加のバイタル情報取得動作の一例を示すシーケンス図である。図１３において、まず、表示デバイス２２４は、所定の周期で遠隔制御装置１０１に心拍数情報を送信する（ステップＳ１３０１〜ステップＳ１３０４）。
【０１２１】
心拍数情報を受信した遠隔制御装置１０１は、受信した心拍数情報が所定範囲を外れた異常値であることを検出する（ステップＳ１３０５）。例えば、遠隔制御装置１０１は、受信した心拍数情報が所定範囲内にないことにより異常値であることを検出する。また、例えば、遠隔制御装置１０１は、受信した心拍数情報から算出された偏差の絶対値が、管理優先度別の制御情報ＤＢ６００の振り分け条件の上位１０％以上にあることにより、異常値であることを検出することもできる。
【０１２２】
遠隔制御装置１０１は、異常値を検出した測定対象者の表示デバイス２２４に、送信するバイタル情報の追加を指示する（ステップＳ１３０６）。これを受けて、表示デバイス２２４は、送信するバイタル情報を追加する（ステップＳ１３０７）。この後、表示デバイス２２４は、心拍数情報を送信し（ステップＳ１３０８、ステップＳ１３１１）、体温情報を送信し（ステップＳ１３０９、ステップＳ１３１２）、呼吸数情報を送信する（ステップＳ１３１０、ステップＳ１３１３）。
【０１２３】
これにより、本シーケンス図における一連のステップを終了する。本シーケンスを実行することで、遠隔制御装置１０１は、受信したバイタル情報で異常値を検出した測定対象者のバイタル情報を追加し、異常値を検出した測定対象者の多くの種類のバイタル情報を取得することができる。
【０１２４】
（過去のバイタル情報取得動作の一例）
図１４は、過去のバイタル情報取得動作の一例を示すシーケンス図である。図１４において、まず、表示デバイス２２４は、所定の周期で遠隔制御装置１０１にバイタル情報を送信する（ステップＳ１４０１〜ステップＳ１４０４）。
【０１２５】
バイタル情報を受信した遠隔制御装置１０１は、受信したバイタル情報が所定範囲を外れた異常値であることを検出する（ステップＳ１４０５）。例えば、遠隔制御装置１０１は、受信したバイタル情報が所定範囲内にないことにより異常値であることを検出する。また、例えば、遠隔制御装置１０１は、受信したバイタル情報から算出された偏差の絶対値が、管理優先度別の制御情報ＤＢ６００の振り分け条件の上位１０％以上にあることにより、異常値であることを検出することもできる。
【０１２６】
遠隔制御装置１０１は、異常値を検出した測定対象者の表示デバイス２２４に、蓄積情報の報告を指示する（ステップＳ１４０６）。これを受けて、表示デバイス２２４は、遠隔制御装置１０１にバイタル情報を送信し（ステップＳ１４０７、ステップＳ１４０９）、バイタル情報を送信した後、蓄積された過去のバイタル情報を送信する（ステップＳ１４０８、ステップＳ１４１０）。
【０１２７】
これにより、本シーケンス図における一連のステップを終了する。本シーケンスを実行することで、遠隔制御装置１０１は、受信したバイタル情報で異常値を検出した測定対象者の過去のバイタル情報を受信して、異常値を検出した測定対象者の過去の状態をより詳細に取得することができる。
【０１２８】
以上説明したように、遠隔制御装置１０１は、複数の測定対象者に取り付けられたバイタルセンサ２２３で取得され、測定対象者に取り付けられた表示デバイス２２４から第１周期で送信される異なる種類のバイタルセンサ２２３のいずれかの検出値を受信する。遠隔制御装置１０１は、受信した検出値が所定範囲を外れる場合に、対応する表示デバイス２２４との通信帯域を増加させる。
【０１２９】
これにより、遠隔制御装置１０１は、検出値が所定範囲を外れたバイタルセンサ２２３が取り付けられた表示デバイス２２４から測定対象者のバイタル情報をより多く取得できる。このため、遠隔制御装置１０１は、危険な状態である可能性が高い測定対象者の疲労や体調を詳細に監視させることができる。さらに、遠隔制御装置１０１は、遠隔制御装置１０１と表示デバイス２２４との限られた通信帯域を効果的に使用することができる。
【０１３０】
また、遠隔制御装置１０１は、受信した複数の測定対象者に取り付けられたバイタルセンサ２２３で取得された複数の検出値が所定範囲を外れる場合に、所定範囲を外れた複数の検出値に基づいて、対応する無線通信装置との通信帯域の増加量を決定できる。
【０１３１】
これにより、遠隔制御装置１０１と表示デバイス２２４との通信帯域に限りがある場合、遠隔制御装置１０１は、検出値が所定範囲を外れたバイタルセンサ２２３が取り付けられた測定対象者に優先的に多くの通信帯域を割り当てることができる。このため、検出値が所定範囲を外れたバイタルセンサ２２３が取り付けられた測定対象者から、バイタル情報をより多く取得できる。取得したバイタル情報より、遠隔制御装置１０１は、検出値が所定範囲を外れたバイタルセンサ２２３が取り付けられた測定対象者の疲労や体調を詳細に監視させることができる。
【０１３２】
また、遠隔制御装置１０１は、複数の検出値が所定範囲を外れる場合に、所定範囲を外れた複数の検出値に基づいて、所定範囲を外れた複数の検出値を取得したバイタルセンサ２２３の検出値を第１周期より短い第２周期で送信させる制御信号を送信できる。
【０１３３】
これにより、遠隔制御装置１０１は、検出値が所定範囲を外れたバイタルセンサ２２３が取り付けられた測定対象者からより短い周期で検出値を取得できる。このため、遠隔制御装置１０１は、検出値が所定範囲を外れたバイタルセンサ２２３が取り付けられた測定対象者の疲労や体調をより短い時間で監視させることができる。
【０１３４】
また、遠隔制御装置１０１は、複数の検出値が所定範囲を外れる場合に、所定範囲を外れた複数の検出値に基づいて、所定範囲を外れた複数の検出値を取得したバイタルセンサ２２３を取り付けている対象者のマイクを動作状態に遷移させる制御信号を送信できる。
【０１３５】
これにより、遠隔制御装置１０１は、検出値が所定範囲を外れた測定対象者の音声をマイク４０６で取得できる。このため、測定対象者の音声により、検出値が所定範囲を外れたバイタルセンサ２２３が取り付けられた測定対象者の疲労や体調を監視させることができる。
【０１３６】
また、遠隔制御装置１０１は、複数の検出値が所定範囲を外れる場合に、所定範囲を外れた複数の検出値に基づいて、所定範囲を外れた複数の検出値を取得したバイタルセンサ２２３とは異なる種類の検出値をさらに送信させる制御信号を送信できる。
【０１３７】
これにより、遠隔制御装置１０１は、検出値が所定範囲を外れたバイタルセンサ２２３が取り付けられた測定対象者から異なる種類の検出値を取得できる。このため、遠隔制御装置１０１は、検出値が所定範囲を外れたバイタルセンサ２２３が取り付けられた測定対象者の疲労や体調を異なる種類の検出値から監視させることができる。
【０１３８】
また、遠隔制御装置１０１は、複数の検出値が所定範囲を外れる場合に、所定範囲を外れた複数の検出値に基づいて、複数の検出値が所定範囲を外れる前の検出値であって、第１周期より短い周期で取得された複数の検出値を送信させる制御信号を送信できる。
【０１３９】
これにより、遠隔制御装置１０１は、検出値が所定範囲を外れたバイタルセンサ２２３が取り付けられた測定対象者から所定範囲を外れる前の検出値を取得できる。このため、遠隔制御装置１０１は、検出値が所定範囲を外れたバイタルセンサ２２３が取り付けられた測定対象者の疲労や体調を所定範囲を外れる前の検出値から監視させることができる。
【０１４０】
また、遠隔制御装置１０１は、複数の検出値が所定範囲を外れる場合に、複数の検出値が所定範囲を外れていない対象者の表示デバイス２２４との通信帯域を減少させる制御信号を送信できる。
【０１４１】
これにより、遠隔制御装置１０１は、複数の検出値が所定範囲を外れていない対象者の表示デバイス２２４との通信帯域を減少させることで、検出値が所定範囲を外れたバイタルセンサ２２３が取り付けられた測定対象者に多くの通信帯域を割り当てることができる。
【０１４２】
また、所定範囲は、複数の測定対象者の検出値の平均値、または、それぞれの測定対象者の平常時の検出値に基づいて設定されることができる。
【０１４３】
これにより、複数の測定対象者の検出値の平均値に基づく場合、遠隔制御装置１０１は、測定対象者全員の中から、バイタルセンサ２２３の検出値をより多く取得する測定対象者を判定できる。また、それぞれの測定対象者の平常時の検出値に基づく場合、遠隔制御装置１０１は、測定対象者の状態により、バイタルセンサ２２３の検出値をより多く取得するか否かを判定できる。
【０１４４】
なお、本実施の形態で説明した遠隔制御方法は、予め用意されたプログラムをパーソナル・コンピュータやワークステーション等のコンピュータで実行することにより実現することができる。遠隔制御プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、遠隔制御プログラムは、インターネット等のネットワークを介して配布してもよい。
【０１４５】
上述した実施の形態に関し、さらに以下の付記を開示する。
【０１４６】
（付記１）複数の対象者にそれぞれ取り付けられたセンサで取得された１種類以上の検出値を、それぞれの対象者に取り付けられた無線通信装置から受信する通信部と、
前記通信部により受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を前記通信部に送信させる制御部と、
を有することを特徴とする遠隔制御装置。
【０１４７】
（付記２）前記特定の範囲は、前記複数の対象者のそれぞれに取り付けられた無線通信装置から受信した前記１種類以上の複数種類の検出値に基づいて決定される、ことを特徴とする付記１に記載の遠隔制御装置。
【０１４８】
（付記３）前記指示信号は、前記対応する無線通信装置に対して、マイクで検出した音声信号を前記遠隔制御装置に送信させる指示を含むことを特徴とする付記１に記載の遠隔制御装置。
【０１４９】
（付記４）前記制御部は、
受信した前記１種類以上の検出値が前記特定の範囲を外れていない対象者の無線通信装置との通信帯域を減少させる制御信号を前記通信部に送信させることを特徴とする付記１に記載の遠隔制御装置。
【０１５０】
（付記５）前記特定の範囲は、前記複数の対象者の検出値の平均値、または、前記複数の対象者のそれぞれの対象者の平常時の検出値に基づいて設定されることを特徴とする付記１に記載の遠隔制御装置。
【０１５１】
（付記６）複数の対象者にそれぞれ取り付けられたセンサで取得した１種類以上の検出値を送信する制御部を有する、それぞれの対象者に取り付けられた無線通信装置と、
前記無線通信装置から前記１種類以上の検出値を受信する通信部と、受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を前記通信部に送信させる制御部とを有する遠隔制御装置と、
を有することを特徴とする遠隔制御システム。
【０１５２】
（付記７）複数の対象者にそれぞれ取り付けられたセンサで取得された１種類以上の検出値を、それぞれの対象者に取り付けられた無線通信装置から受信し、
受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を送信する、
処理をコンピュータが実行することを特徴とする遠隔制御方法。
【０１５３】
（付記８）複数の対象者にそれぞれ取り付けられたセンサで取得された１種類以上の検出値を、それぞれの対象者に取り付けられた無線通信装置から受信し、
受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を送信する、
処理をコンピュータに実行させることを特徴とする遠隔制御プログラム。
【０１５４】
（付記９）複数の対象者にそれぞれ取り付けられたセンサで取得された１種類以上の検出値を、それぞれの対象者に取り付けられた無線通信装置から受信し、
受信した前記１種類以上の検出値のうちの少なくとも１種類の検出値が特定の範囲を外れる場合に、対応する前記無線通信装置に対して、前記１種類以上の検出値の送信間隔を狭めるか、又は、送信する対象の検出値の種類を増やすか、又は、未送信の過去の検出値を送信させる指示信号を送信する、
処理をコンピュータに実行させる遠隔制御プログラムを記録したことを特徴とする前記コンピュータに読み取り可能な記録媒体。
【符号の説明】
【０１５５】
１０１  遠隔制御装置
１０２  無線通信装置
２２３  バイタルセンサ
２２４  表示デバイス
９０１  受信部
９０２  決定部
９０３  送信部
１００１  受信部
１００２  制御部
１００３  送信部
１００４  センサ部
【図１】
2016092739.tif 000003
【図２】
2016092739.tif 000004
【図３】
2016092739.tif 000005
【図４】
2016092739.tif 000006
【図５】
2016092739.tif 000007
【図６】
2016092739.tif 000008
【図７】
2016092739.tif 000009
【図８】
2016092739.tif 000010
【図９】
2016092739.tif 000011
【図１０】
2016092739.tif 000012
【図１１】
2016092739.tif 000013
【図１２】
2016092739.tif 000014
【図１３】
2016092739.tif 000015
【図１４】
2016092739.tif 000016